(57)【要約】【課題】本発明は、位置に基づいてターゲットコンテンツを提供するためのサービスシステムとその方法に関する。【解決手段】地図で使用者のポインタの位置に基づいてクエリ（Ｑｕｅｒｙ）を識別し、クエリに対応し、ポインタを中心として一定半径を有するスポットファインダを提供することを含み、スポットファインダは、一定半径内に含まれるターゲットコンテンツを該当する位置座標にマーカ形態のリンクで表示する空間であって、座標上の円または多角形の形態であることを特徴とする地図サービスの提供方法が提供される。【選択図】図８
2014102832.tif 000002
【特許請求の範囲】
【請求項１】
地図で使用者のポインタの位置に基づいてクエリ（Ｑｕｅｒｙ）を識別し、
前記クエリに対応し、前記ポインタを中心として一定半径を有するスポットファインダを提供すること
を含み、
前記スポットファインダは、一定半径内に含まれるターゲットコンテンツを該当する位置座標にマーカ形態のリンクで表示する空間であって、座標上で円または多角形の形態であること
を特徴とする、地図サービスの提供方法。
【請求項２】
前記ターゲットコンテンツは、座標と名前を含み、
前記スポットファインダを提供することは、前記ポインタが前記マーカにロールオーバするときに前記ターゲットコンテンツの名前を表示し、
前記ポインタが前記マーカをクリックしたり前記マーカに一定時間以上ロールオーバするときに、前記ターゲットコンテンツの詳細情報を提供すること
を含むことを特徴とする、請求項１に記載の地図サービスの提供方法。
【請求項３】
前記ターゲットコンテンツの詳細情報は、住所、電話番号を含み、
該当するターゲットコンテンツ周辺の公共交通情報、周辺のレストラン情報、不動産情報、ＳＮＳ情報のうちのいずれか１つを含むこと
を特徴とする、請求項２に記載の地図サービスの提供方法。
【請求項４】
前記スポットファインダを提供することは、
前記スポットファインダ内部に存在するターゲットコンテンツを検索することを含み、
前記ターゲットコンテンツを検索することは、座標関連のハッシング（Ｈａｓｈｉｎｇ）アルゴリズムを使用して検索すること
を含むことを特徴とする、請求項１に記載の地図サービスの提供方法。
【請求項５】
前記スポットファインダを提供することは、
前記スポットファインダ内の前記ターゲットコンテンツの個数と前記ターゲットコンテンツのリストを前記スポットファインダの外部に共に表示し、
前記ターゲットコンテンツリストを表示するときに、前記ポインタのリアルタイムの位置から最も近い近接ターゲットコンテンツの名前を前記リストの最上位に表示すること
を特徴とする、請求項１に記載の地図サービスの提供方法。
【請求項６】
前記ターゲットコンテンツのリストは、カテゴリ化されて提供され、
前記カテゴリは、レストラン、ＳＮＳ、不動産のうちのいずれか１つを含んで前記ターゲットコンテンツのリストの上位レベルに表示され、
前記カテゴリの表示は、使用者の設定に基づいて定められること
を特徴とする、請求項５に記載の地図サービスの提供方法。
【請求項７】
前記スポットファインダ内に含まれる前記ターゲットコンテンツの個数が一定基準以上であるときに、前記一定基準数のターゲットコンテンツリストを抽出し、
前記ポインタのリアルタイムの位置から近くに存在するターゲットコンテンツの順に抽出し、前記抽出されたターゲットコンテンツのリストを整列して表示すること
を特徴とする、請求項５に記載の地図サービスの提供方法。
【請求項８】
前記ターゲットコンテンツリストの最上位に表示される前記近接ターゲットコンテンツは、前記リストに表示されるときに他の色で表示されたり太文字で表示され、
前記ポインタを前記近接ターゲットコンテンツのマーカにロールオーバしない状態でクリックするとリンクが実行され、前記近接ターゲットコンテンツの詳細情報を提供すること
を特徴とする、請求項５に記載の地図サービスの提供方法。
【請求項９】
前記スポットファインダを提供することは、
前記スポットファインダ内のいずれか１つの座標に２つ以上のターゲットコンテンツが存在して前記マーカが１つの短縮マーカで表現されると、前記短縮マーカに前記ポインタがロールオーバするときに、前記短縮マーカに存在するターゲットコンテンツの個数分の情報を提供し、
前記短縮マーカをクリックすれば、前記短縮マーカに存在するターゲットコンテンツのリストが詳細説明のためのリンクとして提供されること
を含むことを特徴とする、請求項１に記載の地図サービスの提供方法。
【請求項１０】
前記短縮マーカに存在するターゲットコンテンツの個数が一定基準以上である場合には、スクロールを利用して前記リンク形態のターゲットコンテンツリストを提供すること
を特徴とする、請求項９に記載の地図サービスの提供方法。
【請求項１１】
前記クエリを識別することにおいて、前記ポインタは、タッチ＆ドラッグ形態で前記地図を移動し、探索しようとする位置を前記地図に表示すること
を特徴とする、請求項１に記載の地図サービスの提供方法。
【請求項１２】
コンピュータシステムが請求項１に記載の方法を実行するように制御する命令（ｉｎｓｔｒｕｃｔｉｏｎ）を含む、コンピュータで読み取り可能な媒体。
【請求項１３】
地図で使用者のポインタの位置に基づいてクエリを識別するクエリ認識部、および
前記クエリに対応し、前記ポインタを中心として一定半径を有するスポットファインダを提供するスポットファインダ部
を含み、
前記スポットファインダは、一定半径内に含まれるターゲットコンテンツを該当する位置座標にマーカ形態のリンクで表示する空間であって、座標上で円または多角形の形態であること
を特徴とする、地図サービスシステム。
【請求項１４】
前記ターゲットコンテンツは、座標と名前を含み、
前記スポットファインダ部は、前記ポインタが前記マーカにロールオーバするときに前記ターゲットコンテンツの名前を表示し、
前記ポインタが前記マーカをクリックしたり前記マーカに一定時間以上ロールオーバするときに、前記ターゲットコンテンツの詳細情報を提供すること
を特徴とする、請求項１３に記載の地図サービスシステム。
【請求項１５】
前記ターゲットコンテンツの詳細情報は、住所、電話番号を含み、
該当するターゲットコンテンツ周辺の公共交通情報、周辺のレストラン情報、不動産情報、ＳＮＳ情報のうちのいずれか１つを含むこと
を特徴とする、請求項１４に記載の地図サービスシステム。
【請求項１６】
前記スポットファインダ部は、
前記スポットファインダ内部に存在するターゲットコンテンツを検索する検索部を含み、
前記検索部は、座標関連のハッシング（Ｈａｓｈｉｎｇ）アルゴリズムを使用して検索すること
を特徴とする、請求項１３に記載の地図サービスシステム。
【請求項１７】
前記スポットファインダ部は、
前記スポットファインダ内の前記ターゲットコンテンツの個数と前記ターゲットコンテンツのリストを前記スポットファインダの外部に共に表示し、
前記ターゲットコンテンツリストを表示するときに、前記ポインタのリアルタイムの位置から最も近い近接ターゲットコンテンツの名前を前記リストの最上位に表示すること
を特徴とする、請求項１３に記載の地図サービスシステム。
【請求項１８】
前記ターゲットコンテンツのリストは、カテゴリ化されて提供され、
前記カテゴリは、レストラン、ＳＮＳ、不動産のうちのいずれか１つを含んで前記ターゲットコンテンツのリストの上位レベルに表示され、
前記カテゴリの表示は、使用者の設定に基づいて定められること
を特徴とする、請求項１７に記載の地図サービスシステム。
【請求項１９】
前記スポットファインダ内に含まれる前記ターゲットコンテンツの個数が一定基準以上であるときに、前記一定基準数のターゲットコンテンツリストを抽出し、
前記ポインタのリアルタイムの位置から近くに存在するターゲットコンテンツの順に抽出し、前記抽出されたターゲットコンテンツのリストを整列して表示すること
を特徴とする、請求項１７に記載の地図サービスシステム。
【請求項２０】
前記ターゲットコンテンツリストの最上位に表示される前記近接ターゲットコンテンツは、前記リストに表示されるときに他の色で表示されたり太文字で表示され、
前記ポインタを前記近接ターゲットコンテンツのマーカにロールオーバしない状態でクリックすると、リンクが実行されて前記近接ターゲットコンテンツの詳細情報が提供されること
を特徴とする、請求項１７に記載の地図サービスシステム。
【請求項２１】
前記スポットファインダ部は
前記スポットファインダ内のいずれか１つの座標に２つ以上のターゲットコンテンツが存在して前記マーカが１つの短縮マーカで表現されると、前記短縮マーカに前記ポインタがロールオーバするときに、前記短縮マーカに存在するターゲットコンテンツの個数分の情報を提供し、
前記短縮マーカをクリックすれば、前記短縮マーカに存在するターゲットコンテンツのリストが詳細説明のためのリンクとして提供されること
を特徴とする、請求項１３に記載の地図サービスシステム。
【請求項２２】
前記短縮マーカに存在するターゲットコンテンツの個数が一定基準以上である場合には、スクロールを利用して前記リンク形態のターゲットコンテンツリストを提供すること
を特徴とする、請求項２１に記載の地図サービスシステム。
【請求項２３】
前記クエリ認識部で、前記ポインタは、タッチ＆ドラッグ形態で前記地図を移動し、探索しようとする位置を前記地図に表示すること
を特徴とする、請求項１３に記載の地図サービスシステム。
【発明の詳細な説明】
【技術分野】
【０００１】
本発明は、位置に基づいてターゲットコンテンツを提供するためのサービスシステムとその方法に関する。
【背景技術】
【０００２】
現在提供されている各種地図サービスには、多様な種類が存在する。衛星などの通信網を利用した地図サービスの提供により、ＰＣ、スマートフォン、タブレットＰＣ、ナビゲーションなどの電子機器の無線通信環境において、場所の制約を受けることなく情報の検索が要請され、その検索結果が提供されている。
【０００３】
これに関し、韓国公開特許第１０−２００６−００２５２８８号には、端末機で地図サービスを提供する方法についての記載がある。
【０００４】
上述したように、現在提供されている地図サービスの提供方法としては、テキストの検索語に基づいて地図上のコンテンツを探し出すものが一般的であり、テキストを利用して検索した結果をアイコンとして地図全域に表示するが、これはデータのノイズ化を招来する恐れがある。
【０００５】
また、検索結果が多い場合には、検索ランキングに基づいて論理的に主要となる検索結果のみを地図上に表示する。これとは反対に、検索結果が少ない場合には地図を縮小し、互いに遠い距離に存在する検索結果を地図にすべて表示したりもする。
【０００６】
このように、検索結果のアイコンを地図に表示すると、地図サービスの使用者が検索したい関心地域についての検索結果だけを得ることが困難になり、使用者の関心度を低下させるという結果を招来する恐れがある。
【０００７】
さらに、検索結果が多い場合に、論理的に下位ランキングにランクして検索結果に表示されないデータが多くなれば、サービス使用者が所望する検索結果を得るのに限界が生じるようになる。
【発明の概要】
【発明が解決しようとする課題】
【０００８】
本発明の一実施形態は、電子機器に提供される地図検索において、テキストの検索語の代わりに位置を検索の主体とし、これを明確に表現することができるユーザインタフェース（ＵＩ）を提供することを目的とする。
【０００９】
また、表示される地図全域に小さいアイコンを配置することによってデータのノイズ化現象を防ぎ、ユーザインタラクションを誘導して関心地域に対する集中度を高め、使用者が検索しようとする位置の検索結果を表示する正確度を高めることができる地図サービスとそのシステムを提供することを目的とする。
【００１０】
さらに、検索ランキングによって論理的に表示されないデータや下位ランキングにランクされることによって検索結果に表示されないデータを意味のあるデータとして生成するために、使用者が要請できる範囲を減らして検索結果を表示させることを目的とする。
【課題を解決するための手段】
【００１１】
地図で使用者のポインタの位置に基づいてクエリ（Ｑｕｅｒｙ）を識別し、クエリに対応し、ポインタを中心として一定半径を有するスポットファインダを提供することを含み、スポットファインダは、一定半径内に含まれるターゲットコンテンツを該当する位置座標にマーカ形態のリンクで表示する空間であって、座標上で円または多角形の形態であることを特徴とする地図サービスが提供される。
【００１２】
本発明の一実施形態において、ターゲットコンテンツは座標と名前を含み、スポットファインダを提供するときは、ポインタがマーカにロールオーバするときにはターゲットコンテンツの名前を表示し、ポインタがマーカをクリックしたりマーカに一定時間以上ロールオーバするときにはターゲットコンテンツの詳細情報を提供してもよい。
【００１３】
さらに他の実施形態において、ターゲットコンテンツの詳細情報は住所および電話番号を含み、該当するターゲットコンテンツ周辺の公共交通情報、周辺のレストラン情報、不動産情報、ＳＮＳ情報のうちのいずれか１つを含んでもよい。
【００１４】
さらに他の実施形態において、スポットファインダを提供することは、スポットファインダ内部に存在するターゲットコンテンツを検索することを含み、ターゲットコンテンツを検索するときは、座標関連のハッシング（Ｈａｓｈｉｎｇ）アルゴリズムを使用して検索してもよい。
【００１５】
さらに他の実施形態において、スポットファインダを提供するときは、スポットファインダ内のターゲットコンテンツの個数とターゲットコンテンツのリストをスポットファインダの外部に共に表示し、ターゲットコンテンツリストを表示するときには、ポインタのリアルタイムの位置から最も近い近接ターゲットコンテンツの名前をリストの最上位に表示してもよい。
【００１６】
さらに他の実施形態において、ターゲットコンテンツのリストはカテゴリ化されて提供されるが、カテゴリは、レストラン、ＳＮＳ、不動産のうちのいずれか１つを含んでターゲットコンテンツのリストの上位レベルに表示され、カテゴリの表示は使用者の設定に基づいて定められてもよい。
【００１７】
さらに他の実施形態において、スポットファインダ内に含まれるターゲットコンテンツの個数が一定基準以上のときには、一定基準数のターゲットコンテンツリストを抽出するが、ポインタのリアルタイムの位置の近くに存在するターゲットコンテンツの順に抽出し、抽出されたターゲットコンテンツのリストを整列して表示してもよい。
【００１８】
さらに他の実施形態において、ターゲットコンテンツリストの最上位に表示される近接ターゲットコンテンツは、リストに表示されるときに他の色や太文字で表示され、ポインタを近接ターゲットコンテンツのマーカにロールオーバさせない状態でクリックすればリンクが実行され、近接ターゲットコンテンツの詳細情報が提供されてもよい。
【００１９】
さらに他の実施形態において、スポットファインダを提供するときは、スポットファインダ内のいずれか１つの座標に２つ以上のターゲットコンテンツが存在してマーカが１つの短縮マーカで表現されると、短縮マーカにポインタがロールオーバするときに、短縮マーカに存在するターゲットコンテンツの個数分の情報を提供し、短縮マーカをクリックすれば、短縮マーカに存在するターゲットコンテンツのリストが詳細説明のためのリンクとして提供されてもよい。
【００２０】
さらに他の実施形態において、短縮マーカに存在するターゲットコンテンツの個数が一定基準以上である場合には、スクロールを利用してリンク形態のターゲットコンテンツリストを提供してもよい。
【００２１】
さらに他の実施形態において、クエリを識別することにおいて、ポインタはタッチ＆ドラッグ形態で地図を移動し、探索しようとする位置を地図に表示してもよい。
【００２２】
地図で使用者のポインタの位置に基づいてクエリを識別するクエリ認識部、およびクエリに対応し、ポインタを中心として一定半径を有するスポットファインダを提供するスポットファインダ部を含み、スポットファインダは、一定半径内に含まれるターゲットコンテンツを該当する位置座標にマーカ形態のリンクで表示する空間であって、座標上で円または多角形の形態であることを特徴とする地図サービスシステムが提供される。
【００２３】
本発明の一実施形態において、スポットファインダ部は、スポットファインダ内部に存在するターゲットコンテンツを検索する検索部を含み、検索部は、座標関連のハッシング（Ｈａｓｈｉｎｇ）アルゴリズムを使用して検索してもよい。
【発明の効果】
【００２４】
本発明の実施形態によれば、電子機器に提供される地図検索において、テキストの検索語の代わりに位置を検索の主体にすることにより、これを明確に表現することができるユーザインタフェース（ＵＩ）を提供することができる。
【００２５】
また、表示される地図全域に小さいアイコンを配置することによってデータのノイズ化現象を防ぎ、ユーザインタラクションを誘導して関心地域に対する集中度を高め、使用者が検索しようとする位置の検索結果を表示する正確度を高めることができる地図サービスとそのシステムを提供することができる。
【００２６】
さらに、検索ランキングに基づいて論理的に表示されないデータや下位ランキングによって検索結果として表示されないデータを意味のあるデータとして生成するために、使用者が要請できる範囲を減らして検索結果を表示させることができる。
【図面の簡単な説明】
【００２７】
【図１】本発明の一実施形態において、スポットファインダを提供する地図サービスを説明するための図である。
【図２】本発明の一実施形態において、マーカにロールオーバしてターゲットコンテンツの名称を現す様子を説明するための図である。
【図３】本発明の一実施形態において、ターゲットコンテンツの詳細説明としての不動産情報の表示を説明するための図である。
【図４】本発明の一実施形態において、ターゲットコンテンツの詳細説明としての公共交通情報の表示を説明するための図である。
【図５】本発明の一実施形態において、ターゲットコンテンツが多いときのリストの整列を説明するための図である。
【図６】本発明の一実施形態において、スポットファインダに短縮マーカが現れた様子を説明するための図である。
【図７】本発明の一実施形態において、スポットファインダの短縮マーカにターゲットコンテンツを示す様子を説明するための図である。
【図８】本発明の一実施形態において、地図サービスの提供方法のステップを説明するためのフローチャートである。
【図９】本発明の一実施形態において、地図サービスシステムの構成を説明するためのブロック図である。
【発明を実施するための形態】
【００２８】
以下、本発明の地図サービスの提供方法とそのシステムについて、添付の図面を参照しながら詳しく説明する。
【００２９】
本発明は、地図上にターゲットコンテンツを表示させるものであって、位置が主要なクエリの主体として示される。したがって、テキストの検索語の入力を必要とせずに地図上のコンテンツを表示することができるユーザインタフェースを提供することができる。さらに、既存のテキストの検索語に基づいた地図サービスを含む実施形態をも示すことができる。
【００３０】
図１は、本発明の一実施形態において、地図サービスが提供される様子を説明するための図である。地図サービスは、地図サービスシステムに基づいて実施されるものであって、表示される地図１００にスポットファインダ１１０が提供される。スポットファインダ１１０は、ポインタ１２０、例えば、マウスカーソルや使用者の手のように位置クエリを入力することができる主体を中心として一定半径を有する円または多角形の形態である。
【００３１】
スポットファインダ１１０は、内部に存在するターゲットコンテンツを使用者に提供するためのものであって、ターゲットコンテンツのリスト１３０と、ターゲットコンテンツの位置を表示しながらリンクの役割をするマーカ１４０を含んで構成されてもよい。ここで、「マーカ」は、「ターゲットコンテンツ」に代替して説明されてもよい。マーカ１４０は、該当するターゲットコンテンツに限定されるものではなく、スポットファインダ１１０が探知するすべてのターゲットコンテンツのマーカを含んでもよい。
【００３２】
これにより、スポットファインダ１１０は、ポインタ１２０が移動するときに、形態は保存したままでポインタ１２０を中心として共に移動してもよい。本発明の地図サービスは、ポインタ１２０をタッチ＆ドラッグすることにより、地図１００のディスプレイ位置が変更されてもよい。ポインタ１２０と共にスポットファインダ１１０が探索する位置が変更されるため、探知されるターゲットコンテンツも変わるようになり、ターゲットコンテンツのリスト１３０とマーカ１４０の配置がリアルタイムの情報に基づいて表示されるようになる。本発明の一実施形態において、ターゲットコンテンツのリスト１３０の位置は、スポットファインダ１１０の外部に位置してもよい。
【００３３】
ターゲットコンテンツは座標と名前を含んでおり、スポットファインダ１１０がポインタ１２０の位置クエリを識別すれば、基本的にターゲットコンテンツの座標の位置をマーカ１４０で示し、ターゲットコンテンツリスト１３０にその名前を表示する。
【００３４】
ターゲットコンテンツリスト１３０は、リアルタイムの位置についてのスポットファインダ１１０内部のターゲットコンテンツの個数情報１３１と、これに該当するターゲットコンテンツのリスト情報１３２をリストに整列する。図１に示す実施形態によれば、リアルタイムのスポットファインダ１１０で探索されるターゲットコンテンツの個数情報１３１は１０個となり、１０個のターゲットコンテンツのリスト情報１３２が順に整列される。
【００３５】
本発明の一実施形態において、リアルタイムのポインタ１２０の位置から最も近いターゲットコンテンツの名前をリスト情報１３２の最上位に表示してもよい。さらに、本発明の一実施形態において、リスト情報１３２を整列するにあたり、ポインタ１２０を基準として近くに存在するターゲットコンテンツ１４０の順に整列してもよい。リスト情報１３２の最上位に表示されるターゲットコンテンツは、マーカ１４０がリンクの役割をすることに関連して太文字または他の色で表示されてもよい。これについては、以後で詳しく説明する。
【００３６】
さらに他の実施形態として、ターゲットコンテンツのリスト情報１３２は、カテゴリ化されて整列されてもよい。例えば、レストランカテゴリを基準として整列しようとするとき、スポットファインダ１１０内でレストラン登録されているレストランや喫茶店などが近くに存在する距離順に整列されて表示されてもよい。または、不動産カテゴリを基準として整列しようとするときには、不動産売買情報を含んでいる商店街や住宅、マンションなどのターゲットコンテンツがポインタ１２０から近い距離順にターゲットコンテンツリスト情報１３２に整列されてもよい。ここで、カテゴリは、ターゲットコンテンツの名称の上位レベルに表示されてもよい。
【００３７】
一方、地図サービス内にカテゴリを選択することができる機能を別途に含み、スポットファインダ１１０で探索するときに、選択されたカテゴリに該当するターゲットコンテンツがマーカ１４０として表示されてもよい。この場合も同じように、スポットファインダ１１０内部に示されるターゲットコンテンツをカウントして個数情報１３１として表示し、該当するターゲットコンテンツを整列してターゲットコンテンツリスト情報１３２として表示してもよい。例えば、ＳＮＳ情報を含んでいるターゲットコンテンツの探索を設定すれば、クーポン情報やレストランレビューなどの情報を提供するＳＮＳを含んでいるターゲットコンテンツだけがマーカ１４０として検索されてリスト１３０に表示されてもよい。
【００３８】
このように、スポットファインダ１１０内のターゲットコンテンツのデータをリアルタイムで収集して処理することにより、座標に基づいてハッシング（Ｈａｓｈｉｎｇ）アルゴリズムが実施されてもよい。ハッシングアルゴリズムは、データ１つ１つに付けられた識別子であり、本発明の実施形態においてはターゲットコンテンツの座標値とポインタの座標値を利用して関数式で生成されたものであって、データ処理時にこれが活用されてもよい。
【００３９】
本発明の一実施形態において、スポットファインダ１１０の半径は、地図１００の拡大や縮小とは関係なく提供されてもよく、地図１００の拡大や縮小については、スクロールあるいは該当する機能を地図１００のいずれかの部分に含ませてもよい。
【００４０】
したがって、本発明の実施形態によれば、スポットファインダ１１０は特定のターゲットコンテンツを検索するよりも、特定の位置にどのようなターゲットコンテンツが存在するのかを探索するために有効に活用することができる。
【００４１】
図２は、本発明の一実施形態において、地図サービスが提供されるさらに他の実施形態を説明するための図である。図２の地図２００にも、ポインタ２２０を中心として一定半径を有するスポットファインダ２１０が形成されている。図１と同じように、スポットファインダ２１０内部に存在するターゲットコンテンツのリスト２３０を提供するにあたり、ターゲットコンテンツのリスト２３０は、位置クエリによって検索されるターゲットコンテンツの個数情報２３１と、これに該当するターゲットコンテンツのリスト情報２３２を含んで地図２００上に表示されてもよい。
【００４２】
ここで、ポインタ２２０は、ターゲットコンテンツの位置を示すマーカ２４０のリンク機能を実行させる主体であってもよい。これにより、ポインタ２２０を特定のマーカ２４０上に乗せたりスクラッチすれば、該当するターゲットコンテンツの名称２５０が現れるロールオーバ形態で地図サービスが提供されてもよい。
【００４３】
本発明の一実施形態において、ターゲットコンテンツの名称２５０はリスト情報２３２の最上位に表示され、太文字または他の色で表示され、ポインタ２２０から最も近いターゲットコンテンツの名称と一致してもよい。本発明の一実施形態において、ターゲットコンテンツの名称２５０は、マーカ２４０にロールオーバするときにターゲットコンテンツの大略的な説明、例えば、電話番号や大略的な住所などを共に含んで構成されてもよい。
【００４４】
ポインタ２２０がマーカ２４０上にロールオーバすれば、図１に示すポインタ１２０の状態から図２に示すポインタ２２０のように、リンクが可能な形態に変形してもよい。マーカ２４０のリンクについては、図３および図４を参照しながら後述する。
【００４５】
図３は、本発明の一実施形態において、ターゲットコンテンツのマーカ３４０がリンクを実行するときの様子を説明するための図である。地図３００には、ポインタ３２０を中心としてスポットファインダ３１０が提供されているが、スポットファインダ３１０は、内部に存在するターゲットコンテンツについてマーカでその位置を示し、マーカで表示されるターゲットコンテンツについて、個数情報３３１と名称に係るリスト情報３３２を含むターゲットコンテンツリスト３３０をスポットファインダ３１０の外部に提供してもよい。
【００４６】
また、スポットファインダ３１０は、ターゲットコンテンツについての詳細情報３５０を提供してもよい。本発明の一実施形態において、ターゲットコンテンツリスト情報３３２の最上位に表示される名称は、ポインタ３２０から最も近くに存在する近接ターゲットコンテンツについてのものであってもよく、詳細情報３５０は近接ターゲットコンテンツについてのものであってよい。
【００４７】
詳細情報３５０の提供は、本発明の一実施形態において、図２に示すポインタ２２０の状態のようにマーカ２４０上にロールオーバしていたり、図１に示すポインタ１２０の状態のようにマーカ１４０と重なっていない状態であっても、クリックさえすれば、ターゲットコンテンツリスト情報３３２の最上位に表示されるターゲットコンテンツについての詳細情報３５０が公開されてもよい。または、ポインタ３２０をマーカ３４０上にリンク可能な状態で一定時間以上ロールオーバすれば、マーカ３４０に該当するターゲットコンテンツについての詳細情報３５０が公開されてもよい。
【００４８】
詳細情報は、図３に示すように、地図３００上にウィンドウを開いて表示されてもよく、本発明の一実施形態において、基本的なターゲットコンテンツの情報、例えば、電話番号や住所、ウェブサイトアドレス、写真などを含んでいる。または、カテゴリの設定に基づいて詳細情報が提供されてもよく、例えば、カテゴリを不動産に設定する場合、住所、出物情報、建物の種類、建物の規模などの情報を詳細情報として提供してもよい。
【００４９】
図３の実施形態によれば、詳細情報３５０は不動産情報であってもよい。ここで、出物情報をリンクとして提供して必要な情報を確認できるようにしてもよく、詳細表示をリンクとして提供し、必要時にポータルサイトでターゲットコンテンツについてのさらに詳細な情報を提供するようにしてもよい。さらに、図３によれば、詳細情報３５０は、ターゲットコンテンツ周辺の公共交通情報やロードビュー（Ｌｏａｄ  Ｖｉｅｗ）などをさらに含んでもよく、本発明の一実施形態に係る地図サービスは、道案内サービスを含んでもよい。詳細情報３５０は、出発地、経由地、到着地として設定することができるリンクを含んで使用者に提供されてもよい。
【００５０】
本発明の一実施形態において、表示された詳細情報３５０は、ポインタ３２０を地図３００上の他の地点に移動したり、詳細情報３５０で終了ボタンを提供して終了ボタンをクリックすることによって表示を終了してもよい。
【００５１】
図４は、本発明の一実施形態において、詳細情報の提供のさらに他の実施形態として、公共交通についての情報を提供する様子を説明するための図である。地図４００は地下鉄の駅周辺の地理を示しており、スポットファインダ４１０は、地下鉄の駅を指しているポインタ４２０を中心として内部で探索されるターゲットコンテンツについての多数のマーカを表示している。したがって、ターゲットコンテンツリスト４３０は、地下鉄の駅周辺についてのターゲットコンテンツの個数情報４３１とリスト情報４３２を提供してもよい。
【００５２】
図３を参照しながら説明したように、ポインタ４２０を地下鉄の駅についてのマーカ４４０に最も近づけたり、マーカ４４０上にロールオーバしてクリックするときに、該当する地下鉄の駅についての詳細情報４５０を使用者に表示してもよい。本発明の一実施形態において、一定時間以上マーカ４４０上にポインタ４２０をロールオーバすることにより、当該マーカ４４０についての詳細情報４５０を表示してもよい。
【００５３】
本発明の一実施形態に係る詳細情報４５０には、公共交通、例えば、地下鉄の駅に関するものであって、地下鉄の駅の所属路線、乗換駅の場合には乗り換え情報、住所、案内番号、周辺駅情報などと共に、該当する地下鉄の駅のプラットホーム位置、地下鉄からの降り口、トイレの位置、内部の便宜の施設など、地下鉄の駅を利用するのに有効な情報を共に含んでもよい。本発明の一実施形態において、詳細表示や運行時間の表示などのリンクを提供することにより、地下鉄の運行時間や周辺の公共交通情報を容易に確認することができる。
【００５４】
図４の説明で省略された部分については、図３を参照しながら説明した詳細情報を参照してもよい。
【００５５】
図５は、本発明の一実施形態において、ターゲットコンテンツのリストを整理する様子を説明するための図である。
【００５６】
地図５００上のスポットファインダ５１０が探索している地点は、商店が密集している繁華街や会社が立ち並ぶビジネス街が密集している地域などターゲットコンテンツが多く探知される地点であり、図に示すように、マーカ５４０が多く発見される。これにより、ターゲットコンテンツのリスト５３０は、探知されるターゲットコンテンツをカウントして個数情報５３１を表示し、これに該当するリスト情報５３２を生成してもよい。
【００５７】
ここで、リスト情報５３２に入力されなければならないターゲットコンテンツの個数が一定個数以上である場合、すべてのターゲットコンテンツのリストを記載することは使用者の視認性を低下させる要因となり、データ処理に時間がかかるという問題を発生させ得るため、一定個数のターゲットコンテンツのみをリスト情報５３２に表示する方法を使用してもよい。
【００５８】
本発明の一実施形態において、スポットファインダ５１０の中心であるポインタ５２０を中心として最も近くに存在する１０個のターゲットコンテンツのみをリスト情報５３２に整列してもよく、または、使用者が多く探索するターゲットコンテンツをリスト情報５３２に整列して表示してもよい。ここで、ターゲットコンテンツの個数情報５３１については、スポットファインダ５１０内部で探知されるすべてのマーカ５４０をカウントしたものが表示されてもよい。
【００５９】
図５に示す実施形態も同じように、最も近いターゲットコンテンツはリスト情報５３２の最上位に表示され、探索されるターゲットコンテンツが多いときにも容易な探索が可能な地図サービスを提供することができる。
【００６０】
図６は、本発明の一実施形態において、ターゲットコンテンツのマーカが重なることによって短縮マーカで表示されるときに、本発明の地図サービスがどのように提供されるかを説明するための図である。図６に示すように、本実施形態は、ターゲットコンテンツが密集している地点で提供されてもよい。
【００６１】
図６に示すように、地図６００に示されたスポットファインダ６１０の内部には多数のターゲットコンテンツがマーカで表示されており、その個数情報６３１とリスト情報６３２がターゲットコンテンツリスト６３０に提供されてもよい。図６の実施形態によれば、スポットファインダ６１０内のターゲットコンテンツは２０個表示されているため、図５で説明した実施形態に基づき、ポインタ６２０から近いターゲットコンテンツの順に一定個数のみをリスト情報６３２として表示してもよい。
【００６２】
ここで、ポインタ６２０が指しているマーカ６４０は、同じ座標に存在するいくつかのターゲットコンテンツの説明のための短縮マーカであり、ポインタ６２０を短縮マーカ６４０上にロールオーバしたときに「１４個の結果があります」という案内文句６５０が現われるようにし、ポインタ６２０をリンクが可能な形態に変更してもよい。したがって、当該短縮マーカ６４０に該当するターゲットコンテンツは１４個となり、当該短縮マーカ６４０に対するターゲットコンテンツを確認するためにポインタ６２０をクリックする動作により、図７に示すような座標を有するターゲットコンテンツのリストを確認してもよい。
【００６３】
本発明の一実施形態において、案内文句６５０を含んでいる短縮マーカ６４０をクリックすれば、当該短縮マーカ６４０に含まれているすべてのターゲットコンテンツのリストを表示する選択ウィンドウ６５１が提供されてもよい。選択ウィンドウ６５１に表示されるすべてのターゲットコンテンツは、リンクを通じて住所や電話番号などの詳細情報を提供するため、リンクが可能な状態である。これにより、ポインタ６２０も、選択ウィンドウ６５１からターゲットコンテンツリストを選択するときに、リンクが可能な状態に変更されてもよい。
【００６４】
また、選択ウィンドウ６５１に表示される、同じ座標を有するターゲットコンテンツリストの個数が一定個数未満であれば使用者の視認性に問題はないが、図７の実施形態のように、多くのターゲットコンテンツの結果が同じ座標に現われる場合には、選択ウィンドウ６５１を提供するときに、スクロールバー６５２を提供してスクロールしたり矢印ボタンをクリックすることにより、短縮マーカ６４０に存在するすべてのターゲットコンテンツの名称を表示してもよい。
【００６５】
選択ウィンドウ６５１が現われるときにはターゲットコンテンツリスト６３０は消えてもよく、本発明の一実施形態のように、短縮マーカ６４０に多くのターゲットコンテンツが存在すれば、一定個数のターゲットコンテンツのみを表示するリスト情報６３２には、短縮マーカ６４０に含まれるすべてのターゲットコンテンツが表示されなくてもよい。
【００６６】
図８は、本発明の一実施形態において、図１〜図７を参照しながら説明した地図サービスの提供方法のステップを説明するためのフローチャートである。
【００６７】
ステップ８１０で、地図サービスシステムは、リアルタイムのポインタの位置に基づいてクエリを識別してもよい。本発明の一実施形態は、テキストの検索語ではなく、位置を検索の主体としてターゲットコンテンツを検索するようにするためのものであって、リアルタイムのポインタの位置を識別することが重要となる。
【００６８】
地図サービスが提供されるとき、地図の位置を決める主体はポインタとなり、ポインタをタッチ＆ドラッグすることによって地図の位置を変更してもよく、タッチ＆ドラッグ動作を識別してリアルタイムのポインタの位置の変更を共に認識してもよい。
【００６９】
本発明の一実施形態において、ステップ８２０で、地図サービスの提供システムは、リアルタイムのポインタの位置を中心として一定半径を有するスポットファインダを提供してもよい。スポットファインダは、円または多角形の形態で提供されてもよく、スポットファインダの内部で探索されるターゲットコンテンツをリンクが可能なマーカ形態で表示する空間を意味する。
【００７０】
各ターゲットコンテンツは、ターゲットコンテンツの名前と該当する座標についての情報を含んでいるが、このようなターゲットコンテンツの表示において、スポットファインダ内部に、マーカと、探索されたすべてのターゲットコンテンツをカウントした個数と名称とを含んだリストが共に提供されてもよい。スポットファインダ内部のターゲットコンテンツの探索が実施されるときに、座標に基づいてハッシングアルゴリズムを利用してターゲットコンテンツが検索されてカウントされてもよい。
【００７１】
ターゲットコンテンツのリストが表示されるとき、リアルタイムのポインタの位置から最も近いターゲットコンテンツの名前をリストの最上位に表示してもよい。さらに、本発明の一実施形態において、リストの整列は、ポインタを基準として近くに存在するターゲットコンテンツの順に整列してもよい。すなわち、ポインタから近くに位置するターゲットコンテンツであるほど、ターゲットコンテンツリストの上位に表示されるようになる。
【００７２】
ターゲットコンテンツのリストはカテゴリ化されて整列されてもよく、例えば、レストランカテゴリを基準として整列しようとするとき、スポットファインダ内にレストラン登録されているレストランや喫茶店などが、近くに存在する距離順に整列されて表示されてもよい。さらに他の実施形態として、地図サービス内にカテゴリを選択することができる機能を別途で含み、スポットファインダで探索するときに、選択されたカテゴリに該当するターゲットコンテンツがマーカで表示されるようにしてもよい。
【００７３】
上述したとおり、ターゲットコンテンツは該当する名称と座標情報とを含んでいる。これにより、ポインタをターゲットコンテンツのマーカ上にロールオーバすれば、その名称が地図上に表示されるようになるが、このとき、ポインタの状態も普通の状態からリンクが可能な状態に変更されてもよい。
【００７４】
ステップ８２０で、スポットファインダは、ターゲットコンテンツについての詳細情報を提供してもよい。本発明の一実施形態において、ターゲットコンテンツリストの最上位に表示される名称は、ポインタから最も近い位置に存在する近接ターゲットコンテンツについてのものであり、詳細情報はこの近接ターゲットコンテンツについての詳細情報となる。
【００７５】
例えば、建物についての詳細情報として、住所、電話番号、周辺公共交通情報を含み、不動産、ＳＮＳ、レストラン情報などに該当するターゲットコンテンツと関連がある情報はこれに該当し、該当するターゲットコンテンツに対する検索結果を案内するためにポータルサイトに移動するリンクを含んでもよい。
【００７６】
また、リストに入力されなければならないターゲットコンテンツの個数が一定個数以上である場合、すべてのターゲットコンテンツのリストを記載するのではなく、一定個数のターゲットコンテンツのみをリスト情報に表示する方法を使用してもよい。ここで、リストに記載する基準としては、ポインタを基準として近い距離順に整列されてもよい。
【００７７】
ステップ８２０で、スポットファインダを提供するときに、スポットファインダ内のいずれか１つの座標に２つ以上のターゲットコンテンツが存在して多数のマーカが１つの短縮マーカで表示される場合、短縮マーカにポインタがロールオーバするときに、同じ短縮マーカに存在する、同じ座標を有するターゲットコンテンツの個数分の情報を提供してもよい。
【００７８】
これにより、個数情報のみを表示するのではなく、短縮マーカをクリックすれば、短縮マーカに存在するすべてのターゲットコンテンツのリストを提供することができる。ここで、ターゲットコンテンツリストは、詳細説明のためのリンクとして使用者に表示されてもよい。短縮マーカに存在するターゲットコンテンツの個数が一定基準以上である場合には、スクロールバーを利用してスクロールすることによってターゲットコンテンツリストを提供してもよい。
【００７９】
図９は、本発明の一実施形態において、地図サービスシステム９００の構成を説明するためのブロック図である。地図サービスシステム９００は、クエリ認識部９１０とスポットファインダ部９２０を含んで構成されてもよい。地図サービスシステム９００は、図８を参照しながら説明した地図サービスの提供方法を実施するためのシステムとして作動してもよい。
【００８０】
クエリ認識部９１０は、リアルタイムのポインタの位置を位置に基づいたクエリとして識別してもよい。本発明の一実施形態は、テキストの検索語ではなく、ポインタの位置が重要なクエリとして作用する。ここで、ポインタは、タッチ＆ドラッグ形態を利用して探索しようとする位置に地図を移動して探索しようとする位置を表示してもよく、クエリ認識部９１０はこれを認知してもよい。
【００８１】
また、スポットファインダ部９２０は、クエリに対応し、ポインタを中心として一定半径を有するスポットファインダを提供してもよい。本発明の一実施形態において、スポットファインダは、一定半径内に含まれるターゲットコンテンツを該当する位置座標にマーカ形態のリンクで表示する空間であって、座標上で円または多角形の形態で示されてもよい。
【００８２】
本発明の一実施形態において、スポットファインダを提供するときに、スポットファインダ内部に存在するターゲットコンテンツを検索して提供するが、ターゲットコンテンツを検索するときに、座標関連のハッシングアルゴリズムを使用して検索してもよい。
【００８３】
また、スポットファインダを提供するときに、探知されるターゲットコンテンツの個数とターゲットコンテンツのリストをスポットファインダの外部に共に表示し、ターゲットコンテンツリストを表示するときに、ポインタのリアルタイムの位置から近いターゲットコンテンツの順に整列してターゲットコンテンツの名称のリストを表示してもよい。
【００８４】
さらに、スポットファインダ部９２０は、ポインタがマーカにロールオーバしたりスクラッチするときにターゲットコンテンツの名前を表示し、ポインタがマーカをクリックしたりマーカに一定時間以上ロールオーバするときに、ターゲットコンテンツの詳細情報を提供してもよい。ここで、詳細情報とは、ターゲットコンテンツの名称、住所、電話番号などを含んだ詳しい情報を意味する。
【００８５】
本発明の一実施形態において、図８〜図９を説明しながら省略された部分は、図１〜図７の実施形態についての説明を参照してもよい。
【００８６】
このような本発明の実施形態により、地図検索において、テキストの検索語の代わりに位置を検索の主体とすることにより、これを明確に表現することができるユーザインタフェース（ＵＩ）を提供することができる。また、表示される地図全域に小さなアイコンを配置することによってデータのノイズ化現象を防ぎ、ユーザインタラクションを誘導して関心地域に対する集中度を高めることができ、使用者が検索しようとする位置の検索結果を表示する正確度を高めることができる地図サービスとそのシステムを提供することができる。
【００８７】
以上で説明された装置は、ハードウェア構成要素、ソフトウェア構成要素、および／またはハードウェア構成要素およびソフトウェア構成要素の組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる他のいずれかの装置のように、１つ以上の汎用コンピュータまたは特殊目的コンピュータを利用して実現されてもよい。処理装置は、運営体制（ＯＳ）および運営体制上で実行される１つ以上のソフトウェアアプリケーションを実行してもよい。また、処理装置は、ソフトウェアの実行に応答してデータをアクセス、格納、操作、処理、および生成してもよい。理解の便宜のために、処理装置は１つが使用されるものと説明される場合もあるが、当該技術分野において通常の知識を有する者は、処理装置が複数の処理要素（ｐｒｏｃｅｓｓｉｎｇ  ｅｌｅｍｅｎｔ）および／または複数類型の処理要素を含んでもよいことを理解できるであろう。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００８８】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらうちの１つ以上の組み合わせを含んでもよく、所望したとおりに作動するように処理装置を構成したり、独立的または結合的に（ｃｏｌｌｅｃｔｉｖｅｌｙ）処理装置を命令してもよい。ソフトウェアおよび／またはデータは、処理装置に基づいて解釈されたり、処理装置に命令またはデータを提供するために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的または一時的に具体化（ｅｍｂｏｄｙ）されてもよい。ソフトウェアは、ネットワークで連結するコンピュータシステム上に分散され、分散した方法によって格納されたり実行されてもよい。ソフトウェアおよびデータは、１つ以上のコンピュータで読み取り可能な記録媒体に格納されてもよい。
【００８９】
本実施形態に係る地図サービスの提供方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェアの当業者に公知されて使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【００９０】
以上のように、実施形態を限定された実施形態と図面に基づいて説明したが、当該技術分野において通常の知識を有する者であれば、上述した記載から多様な修正および変形が可能である。例えば、説明された技術が説明された方法とは異なる順序で実行されたり、および／または説明されたシステム、構造、装置、回路などの構成要素が説明された方法とは異なる形態で結合または組み合わされたり、他の構成要素または均等物によって対置されたり置換されたとしても、適切な結果を達成することができる。
【００９１】
したがって、異なる実施形態および特許請求の範囲と均等なものも、添付される特許請求の範囲に属する。
【符号の説明】
【００９２】
１００〜６００：地図
９００：地図サービスシステム
９１０：クエリ認識部
９２０：スポットファインダ部
【図１】
2014102832.tif 000003
【図２】
2014102832.tif 000004
【図３】
2014102832.tif 000005
【図４】
2014102832.tif 000006
【図５】
2014102832.tif 000007
【図６】
2014102832.tif 000008
【図７】
2014102832.tif 000009
【図８】
2014102832.tif 000010
【図９】
2014102832.tif 000011